(57)【特許請求の範囲】
【請求項１】
採取した乳幼児の涙液そのものを液体状態のまま塩化ベンゼトニウム液を０．１％以上の濃度で加える方法で無菌化し涙液の形状である液体状態のまま容器に封入することを特徴とする記念物。
【請求項２】
採取した乳幼児の涙液そのものを０．２２マイクロメートル以下のポアサイズをもつ除菌フィルターを用いる方法で無菌化し涙液の形状である液体状態のまま容器に封入することを特徴とする記念物。
【請求項３】
採取した乳幼児の涙液そのものを容器に密封し沸騰水中で２０分間以上加熱する方法によって無菌化することを特徴とする記念物。
【請求項４】
採取した乳幼児の涙液そのものを、液体状態のまま涙液成分になんら添加することなく０．２２マイクロメートル以下のポアサイズをもつ滅菌フィルターを用いて滅菌し除菌フィルターを用いて除菌することにより無菌化し、無菌化された涙液そのものを液体状態のまま、内部を見ることが出来る容器に入れ、水分が蒸散しないように封入することを特徴とする記念物。
【発明の詳細な説明】
【０００１】
【発明の属する技術分野】
本発明は、誕生の記念物に関するものであって、乳幼児期の涙液を含有もしくは少なくともその１成分を含有することを特徴とする記念物に関する。
【０００２】
【従来の技術】
従来から、誕生の記念として乳幼児期に得られるもの等を記念物として保存するということは種々の方法で行われている。赤ん坊のへその緒を保存しておくことなどは古くから行われており、また、乳幼児期に得られる毛髪を筆の形の記念物にするなどして保存することも等も行われている。近年では、乳幼児の手型や足型を取り、記念物とするもの（例えば、特開昭５１−１４４３３３、特開昭５５−１６９、特開昭６２−  ６４６００、特開昭６３−２７５３０７号公報参照）、また、幼児期に描いたものなどを記念物とするもの（例えば、特開平０５−２６２０９２、特開平０６−１９１１９４号公報参照）などが知られている。また、誕生したその日に発行された印刷物例えば新聞等を保存すること、乳幼児期の姿を写真、絵、動画等にして保存することなどもよく行われていることである。その他、誕生の記念に植樹を行うこと等も行われている。しかし、現在でも、誕生の記念物としてこれまでにない特徴を有する記念物が常に求められている。
【０００３】
【発明が解決しようとする課題】
本発明は誕生の記念物としてこれまでにない特徴を有する記念物を創製することを課題として行った。
【０００４】
本発明者らは、前記したように誕生の記念物という方向のもとで、特に乳幼児期の涙液に注目し、種々検討を重ねた。その結果、本発明者らは、乳幼児期の涙液を記念物とする方法を確立し、その記念物を作成することに成功した。
【０００５】
本発明は、泣くことが仕事ともいわれる乳幼児の涙液に注目して創案されたものである。本発明により、乳幼児期の涙液を含有もしくは少なくともその１成分を含有することを特徴とした記念物が提供される。
【０００６】
【課題を解決するための手段】
本発明を概説すれば、乳幼児期の涙液を含有もしくは少なくともその１成分を含有することを特徴とする記念物に関するものである。
以下、本発明の技術的構成について詳しく説明する。
【０００７】
前記したように本発明の課題は、これまでにない誕生の記念物を開発することにある。
本発明者らは、言葉をまだ話せない乳幼児が非常によく泣き、その涙液が乳幼児期の特徴となることに着目した。そして、乳幼児の涙液を長期保存可能な記念物とすることに成功した。涙液には、得られる涙液が少量である、蒸発し易い、タンパク等の雑菌の栄養素となるものを含むため雑菌等が繁殖する等の特徴がある。これらの特徴のため、乳幼児期の涙液を記念物とする方法は確立されていなかった。そしてまた、乳幼児の涙液を誕生の記念物とすることはこれまで報告されていない。
【０００８】
本発明において、採取された涙液は液体として得られるため、涙液を液体のまま容器に入れ保存する他、適当な固化剤とともに涙液を使用し、その固化剤を成形し、涙液の少なくとも１成分を含有する記念物として提供しても良いものである。
なお、本明細書の特許請求の範囲等に記載している、涙液の少なくとも１成分という記載の意味するところは、涙液を乾燥させた後に固体として残る成分のうちの少なくとも１成分ということである。また、水分等の揮発成分を再度液状に戻した液体は、涙液とみなしても良いものであると思われる。
【０００９】
【発明の実施の形態】
以下本発明を詳細に説明する。
【００１０】
涙液の採取
涙液の採取は、乳幼児の流す涙液を直接容器等に受け採取する方法、布などに染込ませたのち絞り出す方法等によって行うことができる。一回の採取で採取できる涙液は少量であるが、乳幼児は頻繁に涙を流すので、採取した涙液を水分蒸発を防ぐための容器に入れ低温で保存すれば、多数回の採取を行い、まとまった量の涙液を採取することも可能である。もし、涙液を揮発成分と不揮発成分に別ける必要があれば、簡単には、小型の容器に涙液を入れ長期に放置すれば、水分等の揮発成分は容器上部に結露として現れるので、揮発成分と不揮発成分を別けることも可能である。
【００１１】
涙液の少なくともその１成分を含有する記念物の作成
涙液の少なくとも１成分を含有する記念物の作成としては、様々な方法が考えられる。例えば、石膏・焼き物のうわぐすりなどに使用する水の代わりに涙液もしくは涙液を含んだ水を使用することにより、涙液の少なくともその１成分を含有する記念物を作成することができる。
【００１２】
液体状態の涙液を含有する記念物の作成
涙液には少量ではあるが蛋白質等の雑菌等の栄養素となる物質が含まれているため、液体状態で保存するには雑菌等の繁殖を防ぐ処置を施す必要がある。雑菌等の繁殖を防ぐ処置としては通常知られている方法、例えば、殺菌剤を入れて保存する方法、加熱滅菌や濾過滅菌等で無菌状態とした後、無菌の容器等に保存する方法、容器に入れたまま加熱滅菌処理を行う方法、などにより涙液を含有した記念物の作成を行うことができる。
【００１３】
【実施例】
以下に本発明の実施例を示してより具体的に説明するが、本発明はこれらに限定されるものではない。
【００１４】
【実施例１】
涙液の採取
沸騰した水の中で約５分煮た後、よく乾燥させた１センチメートル四方の脱脂綿を準備した。その脱脂綿を涙を流している乳幼児の頬にあて、涙液を脱脂綿に染み込ませた。続いて、その脱脂綿を指先で強く絞ることにより、約０．３ミリリットルの涙液を得た。
【００１５】
【実施例２】
涙液の少なくともその１成分を含有する記念物の作成（１）
石膏０．４グラム及び実施例１において得た涙液０．２ミリリットルをマイクロチューブ（容量１．５ミリリットル）の中に入れ、４分間よくかき混ぜた。その後、長さ２センチメートルのステンレス製の針金の一端を約５ミリメートル差し込み石膏が固化するまで放置した。固化後、石膏をチューブから取り出し記念物とした。石膏から突き出ている針金の部分をループ状に曲げ、紐を通しペンダントヘッドとして使用可能な記念物を作成した。なお、石膏の種類により石膏と水の混合の割合は異なる。この実施例では、石膏１キログラムに対し、水４５０ミリリットルを必要とする石膏を使用した。
【００１６】
【実施例３】
涙液の少なくともその１成分を含有する記念物の作成（２）
七宝絵の具を容器に小型の容器に入れ、少量の水を加え、竹べらで軽くかき混ぜる。静かに上澄み液を除き、再度水を入れる。この操作を３回繰り返し、水が澄んできれいになった後、絵の具がかぶるぐらいの水を入れ、そこへ実施例１において得た涙液を２滴たらした。この絵の具を銅版上に竹べらで厚さ約１ミリメートルで盛った。続いて、金網に載せ約１０分乾燥させた。約８００度の炉にピンセットを用いて金網ごと入れ、約１分間焼くことにより記念物を作成した。
【００１７】
【実施例４】
液体状態の涙液を含有する記念物の作成（１）
実施例１において得た涙液１００マイクロリットルに殺菌剤である１０パーセント濃度の塩化ベンゼトニウム液１マイクロリットルを加えたものを、０．３ミリリットル用のガラス容器に入れ、ポリプロピレン製のふたをすることにより密封する。密封性を高めるため、ふたと容器の境目を蜜蝋で封し記念物とした。蜜蝋は容器ごと沸騰水につけて融解したものを使用した。この涙液に雑菌が繁殖しないこと、及び水分の蒸発が見られないことは、室温に６ヶ月間放置した後、液体が濁らないこと、及び液面が低下していないことを確認することにより行った。
【００１８】
【実施例５】
液体状態の涙液を含有する記念物の作成（２）
０．３ミリリットル用のガラス容器及びポリプロピレン製のふたを２０分間煮沸滅菌し、よく乾燥させた。続いて、実施例１において得た涙液を０．２２マイクロメートルのポアサイズをもつ滅菌フィルターを用いて滅菌し、滅菌した容器に１００マイクロリットル入れふたをした。密封性を高めるため、ふたと容器の境目を蜜蝋で封し記念物とした。蜜蝋は容器ごと沸騰水につけて融解したものを使用した。この涙液に雑菌が繁殖しないこと、及び水分の蒸発が見られないことは、室温に６ヶ月間放置した後、液体が濁らないこと、及び液面が低下していないことを確認することにより行った。
【００１９】
【実施例６】
液体状態の涙液を含有する記念物の作成（３）
直径１ミリメートル長さ２センチメートルのガラス管を用意し、一方の口をバーナーで熱することにより溶封する。ガラス管が冷めた後、マイクロピペットを用いて実施例１において得た涙液１０マイクロリットルを底部に入れた。液体は底部から約８ミリメートル程の量であった。続いて、開いているもう一方の口をバーナーで熱することにより溶封した。これらの操作により、涙液を封入したガラス容器が出来上がった。この容器を沸騰水中に２０分間つけることにより、涙液の滅菌を行った。この涙液に雑菌が繁殖しないこと、及び水分の蒸発が見られないことは、室温に６ヶ月間放置した後、液体が濁らないこと、及び液面が低下していないことを確認することにより行った。このガラス容器は小さく破損し易かったため、破損を防ぐため小型のプラスチックケースに入れ記念物とした。
【００２０】
【発明の効果】
本発明によれば、乳幼児期の涙液を誕生の記念品として提供することができる。本記念物は乳幼児本人のための記念物であるだけではなく、乳幼児の涙液を含有もしくは少なくともその１成分を含有することを特徴としているため、乳幼児期のかわいい泣き顔などを回想することもできるものであるので親、祖父母等にも好適な記念物として提供することができる。